(57)【要約】【課題】可撓性の患者用呼吸マスクを様々な顔面骨格構造を有する患者の顔面にぴったりはまるよう保持する。【解決手段】可撓性の患者用呼吸マスク用のカバー２０は、主に軟性物質から成り、開口した底部２４を有し、カバー２０の内面形状は、患者用呼吸マスクの外面形状に適合するよう形成されている。カバー２０の開口した底部２４に対向して、患者用呼吸マスクのソケット部６を受け容れ可能な開口４が設けられている。カバー２０の側面部７、９には、患者用呼吸マスクが通し見える頬用開口３ａ、３ｂが各々設けられている。カバー２０の顎部８ｃと、頬部８ａと８ｂが変形自在に設けられ、圧力が加えられることにより、カバーの形状を変えることができる。カバー２０の側面部７と９の下端には、カバー２０と患者用呼吸マスクを患者の顔面に拘持するためのストラップを留めつける、少なくとも１の、例えば鉤型のフック２が設けられている。【選択図】　　　図１
2004008800.tif 000002
【特許請求の範囲】
【請求項１】
可撓性の患者用呼吸マスクを保持し、実質的に軟質材料から成るカバーであって、
開口した底部と、
前記患者用呼吸マスクの外面形状に対応可能な前記カバーの形状を形成する、変形自在な頬部及び変形自在な顎部と、
前記底部に対向して設けられた開口部であって、前記カバーが前記患者用呼吸マスク上に適切に位置決めされ、患者の口を見通すことができるように、前記患者用呼吸マスク上のソケット部を受け容れ可能なソケット部受け容れ用開口部と
を具備することを特徴とするカバー。
【請求項２】
前記ソケット部受け容れ用開口部と前記底部との間に介在する側面部を有し、前記側面部が頬用の開口部を含むことを特徴とする請求項１に記載のカバー。
【請求項３】
前記マスクが患者の頬の骨格形状に適合するように、前記マスクの頬部を変形させる、変形自在な側面ウェブ材を前記側面部が含むことを特徴とする請求項１に記載のカバー。
【請求項４】
前記変形自在な顎部の、概ね縦方向に形成されたウェブ材が、前記変形自在な顎部である変形自在な顎ウェブ材を変形させることが可能であり、これにより前記マスクの顎部が患者の顎の骨格構造に適合することを特徴とする請求項１に記載のカバー。
【請求項５】
前記頬部と前記顎部の各々が、前記患者用呼吸マスクが通し見える開口を有することを特徴とする請求項１に記載のカバー。
【請求項６】
前記カバーと前記マスクを患者の顔面に対して拘持するストラップを保持するための、少なくとも１の留め具を更に具備することを特徴とする請求項１に記載のカバー。
【請求項７】
前記少なくとも１の留め具が鉤型であることを特徴とする請求項６に記載のカバー。
【請求項８】
複数の前記鉤型の留め具が少なくとも１の前記変形自在な頬部に突設されることを特徴とする請求項７に記載のカバー。
【請求項９】
前記留め具がリング型であることを特徴とする請求項６に記載のカバー。
【請求項１０】
可撓性の患者用呼吸マスクを保持するカバーであって、
前記患者者用呼吸マスクが患者の顔の骨格構造にぴったりはまるように前記患者用呼吸マスクの頬部と顎部を変形させることが可能な、変形自在な頬部及び顎部と、
前記カバーが前記患者用呼吸マスク上に位置決めされ、患者の口を見通すことができるように、前記患者用呼吸マスク上のソケット部を受け容れ可能なソケット部受け容れ用開口部と
を具備することを特徴とする前記カバー。
【請求項１１】
前記変形自在な頬部が、一対の側面ウェブ材を含み、前記一対の側面ウェブ材が同時に押されることによって、前記患者用呼吸マスクの頬部を患者の頬に適合させることが可能となることを特徴とする、請求項１０に記載の可撓性の患者用呼吸マスクを保持するカバー。
【請求項１２】
前記変形自在な顎部が、前記一対の側面ウェブ材と前記ソケット部との間に介在する、一対の概ね縦方向に形成されたウェブ材を含み、前記一対の概ね縦方向に形成されたウェブ材が互いの方向に押されることが可能であり、これにより前記一対の側面ウェブ材の間に介在する顎ウェブ材を変形させて患者用呼吸マスクの顎部を患者の顎に適合させることを特徴とする、請求項１１に記載の可撓性の患者用呼吸マスクを保持するカバー。
【請求項１３】
前記頬部と顎部が、患者用呼吸マスクを通し見ることが可能な開口を各々有することを特徴とする、請求項１０に記載の可撓性の患者用呼吸マスクを保持するカバー。
【請求項１４】
開口した底部と、丸みを持った角を有し、前記患者用呼吸マスクの外形形状に概ね適合する三角錐形状を有することを特徴とする、請求項１０に記載の可撓性の患者用呼吸マスクを保持するカバー。
【請求項１５】
可撓性の患者用呼吸マスクを保持するカバーであって、
互いの方向に同時に押されることによって前記患者用呼吸マスクの頬部を患者の頬に適合させることが可能な一対の側面ウェブ材を含む変形自在の頬部と、
互いの方向に押されることにより、前記側面ウェブ材の間に介在する顎ウェブ材を変形することが可能で、これにより前記患者用呼吸マスクの顎部を患者の顎に適合させる一対の概ね縦方向に形成されたウェブ材を含む、変形自在な顎部と
を具備し、
前記変形自在な頬部と顎部は前記患者用呼吸マスクの頬部と顎部を変形することが可能であり、これにより患者の顔面骨格構造に前記カバーがぴったりはまることを特徴とする、前記可撓性の患者用呼吸マスクを保持するカバー。
【請求項１６】
前記頬部と顎部が、患者用呼吸マスクが通し見える開口を各々有することを特徴とする、請求項１５に記載の可撓性の患者用呼吸マスクを保持するカバー。
【請求項１７】
前記カバーが前記患者用呼吸マスク上に位置決めされ、患者の口を見通すことができるように、前記患者用呼吸マスク上のソケット部を受け容れ可能なソケット部受け容れ用開口を更に具備することを特徴とする、請求項１５に記載の可撓性の患者用呼吸マスクを保持するカバー。
【請求項１８】
前記カバーと前記マスクを患者の顔面に対して拘持するストラップを保持するための、少なくとも１の留め具を更に具備することを特徴とする、請求項１５に記載の可撓性の患者用呼吸マスクを保持するカバー。
【請求項１９】
前記少なくとも１の留め具が鉤型であることを特徴とする、請求項１８に記載の可撓性の患者用呼吸マスクを保持するカバー。
【発明の詳細な説明】
【０００１】
【発明の属する技術分野】
この発明は、患者用可撓性マスクの保持カバーに関し、さらに詳しくは、多様な骨格構造を有する顔についても、看護人が顔とマスク間の高度な密閉性を容易に得られる、患者用可撓性マスクの保持カバーに関する。
【０００２】
【従来の技術】
酸素吸入用の呼吸器マスクの使用は、人工蘇生術、手術、また他の医療及び人命救助の処置に関連してよく知られている。このようなマスクは概ね、シリコンやＰＶＣなどの材料から成る軟質材を含み、患者の外的顔面形状に適合するよう十分な柔軟性を有しているので、患者の顔にぴったりはまるようになっている。こうしたマスクは通常、患者の後頭部にストラップを延ばすことにより、適宜な位置に保持されている。ストラップは適切な固定具によってマスク本体の隅に留めつけられるか、マスクのソケット部の周辺に設けられた留め具つきの別のストラップに留めつけられている。一般的にソケット部は、管状突出物であり、これを介して呼吸器具をマスク表面から突出するように連結するものである。
【０００３】
【発明が解決しようとする課題】
しかしながら、マスク全体が軟性物質で形成されている場合、マスク本体に取り付け具を固定するのが困難であることが分かっている。
【０００４】
そのため、本発明は、上述した従来技術の問題を回避する、患者用呼吸マスクを保持するためのカバーを提供することを目的とする。
【０００５】
また本発明は、患者用マスクを、患者の顔の骨格構造にぴったりはまるよう保持するためのカバーを提供することを目的とする。
【０００６】
更に本発明は、特に、顎がとがっているとか、頬が窪んでいるといった複雑な骨格構造を有する顔の患者の場合でも、看護人が患者の顔とマスクの間のより高度な密閉性を容易に得られる、患者用柔軟性マスクの保持カバーを提供することを目的とする。
【０００７】
本発明のその他様々な目的、利点および特徴は、後述する発明の詳細な説明において直ちに明らかとなり、その新規な特徴は添付の特許請求の範囲において特に詳細に示されている。
【課題を解決するための手段】
【０００８】
上記目的を達成するために、本発明に係る、可撓性の患者用呼吸マスクを保持するカバーは、前記患者用呼吸マスクが患者の顔面の骨格構造にぴったりはまるように前記患者用呼吸マスクの頬部と顎部を変形させることが可能な、変形自在な頬部と顎部を具備することを特徴とする。また、前記カバーは、前記患者用呼吸マスク上のソケット部を受け容れ可能に形成されることにより、前記カバーが前記患者用呼吸マスク上に適切に保持され、患者の口を見通すことができるように、前記患者用呼吸マスク上のソケット部を受け容れ可能なソケット部受け容れ用開口部を更に具備することを特徴とする。
また、前記カバーは、前記マスクの外壁を補強するために用いられ、透明素材によって構成してもよい。又は前記カバーとシリコンマスクの上から患者の唇その他を、遮るものなしに見ることを可能とする複数の開口を有する構成としてもよい。更に、前記カバーは、前記透明素材による構成と、前記複数の開口を有する構成を兼ね備えた構成としてもよい。
【０００９】
かかるカバーによれば、圧力方向にマスクの剛性を高め、前記マスクの外周に均等に力を分配するので、これにより顔面の骨格構造が複雑な患者にマスクを使用する際の、看護人にとっての使い勝手が良くなる。
前記カバーを、力を加えることによってその形状を変えられるように構成して、看護人がカバーの両側面を同時に押してカバー下のマスクを狭めることで患者の顔と前記マスク間の高度な密閉性を実現してもよい。
より硬いカバーの圧力が可撓性のマスクにかかることによって、前記カバーの形状を変えることが可能であり、看護人が必要に応じて前記マスクの形状を変えることができ、前記カバーの十分に高い気密性を保証することができる。
前記カバーの側面に、前記カバーを取り付けたマスクを患者の顔にしっかり拘持するストラップを留めるためのフックを組み込んでもよいが、ストラップを留めるために設けられる留め具はこれに限らず、ストラップ用保持リングなど、他の手段を用いることも可能である。
【００１０】
【発明の実施の形態】
以下の発明の詳細な説明は例としてなされるものであり、特定の実施形態のみに限定するために記述されたものではなく、添付の図面が参照されることによって最適に解されるものであろう。
【００１１】
図１と図２には、本発明に係る、患者用呼吸マスクを保持するカバー２０が示されており、図１および２において共通する構成部には同一の参照符号が付されている。図１は、患者用呼吸マスクから取り外された状態のカバー２０を詳細に示す図である。図２は患者の顔面の骨格構成に対してしっかり密着するように患者用呼吸マスク５を保持するカバー２０を例示する図である。
【００１２】
更に詳述すると、図１は、本発明に係るカバー２０を示しており、カバー２０は、その上面部２２に開口部４（ソケット部受け容れ用開口部）を有している。この開口部４の面積は患者用呼吸マスク５のソケット部６に対応しているため、ソケット部６は、開口部４に望ましい密着性を伴って挿嵌可能となっている。従って、カバー２０は、患者用呼吸マスク５に設置されると、患者用呼吸マスク５の上でしっかりと適切に保持されることになる。
【００１３】
図示されている実施形態において、カバー２０は、三角錐型構造を形成している。この三角錐型構造は、開口を有する底部２４と、丸みを持った角部２６ａ、２６ｂ、２６ｃを有し、患者用呼吸マスク５の外面形状に概ね適合する。
カバー２０の鼻部１は、開口部４から底部２４に渡って介在している。カバー２０の両側面には、頬を受け容れるための開口３ａ、３ｂを有する側面部９、７が、鼻部１を挾んだ両側にそれぞれ設けられている。また、顎部８ｃ内において鼻部１に対向する位置には、主に顎を受け容れるための開口３ｃが設けられている。
頬のための開口３ａおよび３ｂの下端は、カバー２０の両側面上において帯形状の頬部８ａと８ｂとの境界を形成し、顎のための開口３ｃの下端は、帯形状の顎部８ｃとの境界を形成している。よって、頬部８ａ、８ｂ及び顎部８ｃはそれぞれ、呼吸マスク５にカバー２０が装着される際、呼吸マスク５の頬部と顎部に接するようになっている。
【００１４】
頬用開口３ａと３ｂと顎用開口３ｃとのそれぞれの境界には、ウェブ材（ｗｅｂ；骨となる部材）１１ａと１１ｂが設けられており、これらのウェブ材が頬部８ａと８ｂ及び顎部８ｃをカバー２０の上面部に連結している。
各開口３ａ、３ｂ、３ｃからはマスク５が見えるようになっており、ソケット部６内の開口２５からは患者の唇などが見えるようになっている。頬部８ａ、８ｂと顎部８ｃは、他の形態による柔軟性の無いカバーの上面部２２に応じて、変形させてもよい。
【００１５】
カバー２０において各開口は、患者用呼吸マスク５を通し見ることができるように形成されているため、カバー２０は透明なプラスチック製の素材で作られる必要がない。そのため、本実施形態のカバー２０によれば、その素材をより広い範囲において選択可能である。すなわち、様々な適切な素材によってカバーを作ることが可能である。しかしながら、選択された素材は、カバーがある程度の圧力を加えられたときに変形可能であると同時に、ある程度の硬度も示すものでなければならない。
【００１６】
本発明の好適な実施形態に係るカバー２０を取り付けたマスク５を、例えば顎がとがっているとか、頬が窪んでいるといったような、特に複雑な顔面骨格構造を有する患者に看護人が使用するとき、カバー２０の変形自在なウェブ材１１ａと１１ｂをお互いに向けて指で押すことによってカバー２０とマスク５が押される。こうして顎部曲線が角張り、患者の顎の形に適合するように顎部８ｃを曲げる。また、変形自在な頬部８ａと８ｂを互いの方向に押すと、窪んだ頬にその形状が適合する。
【００１７】
図１と図２に示されるように、側面部７と９の下端部は、ストラップを取り付けるための複数のフック２を有している。
勿論、変形可能なカバーを使用する代わりに、患者の複雑な顔面骨格構造に応じてカバーを形作ることも可能である。このようにしてマスクに合わせて作られたカバーに取り付けられれば、一般的なシリコン製のマスクを、複雑な顔面骨格構造を有する患者を含む、いかなる患者にも難なく使用することが可能となる。
【００１８】
これらのカバーは積み重ねられるようにデザインされることが望ましく、これにより例えば、救急車の中などで、最小限のスペースしか占有することがない。
【００１９】
【発明の効果】
以上、本発明の全般的な目的の一つに従って、患者の顔面骨格構造に対応する、顔面にぴったりはまる、可撓性の患者用呼吸マスクを保持するカバーについて説明した。更に、この保持カバーによれば、特に、顎がとがっているとか、頬が窪んでいるといった、複雑な顔面骨格構造を有する患者に適用する場合でも、看護人が患者の顔とマスクの間のより高度な密閉性を用意に得ることが可能となる。
【００２０】
なお本発明は、特定の好適な実施形態を参照して特に示されかつ記述されてきたが、当業者にとって、本発明の趣旨及び範囲から逸脱することなく、様々な修正や変形が可能であるということは明らかであろう。
上記の特許請求の範囲は、そうした他の様々な修正や変形と同時に、以上に述べられた技術範囲を含むものであると解されることを意図している。
【図面の簡単な説明】
【図１】本発明にかかる可撓性の患者用マスクを保持するカバーの、好適な一実施例の正面斜視図である。
【図２】可撓性の患者用呼吸マスク上にかぶせた状態の、本発明に係る図１の保持カバーの正面斜視図である。
【符号の説明】
２０・・・カバー、４・・・開口部（ソケット部受け容れ用開口部）、５・・・患者用呼吸マスク、６・・・ソケット部、２４・・・底部、２６ａ、２６ｂ、２６ｃ・・・角部、１・・・鼻部、３ａ、３ｂ・・・頬用開口、９、７・・・側面部、８ｃ・・・顎部、３ｃ・・・顎用開口、８ａ、８ｂ・・・頬部、１１ａと１１ｂ・・・ウェブ材、２５・・・開口、２２・・・上面部、２・・・フック。
【図１】
2004008800.tif 000003
【図２】
2004008800.tif 000004